(57)【要約】【課題】単純な操作により画面上の表示情報のサイズを簡便に切替えることを可能にする端末装置等を提供する。【解決手段】本発明に係る端末装置は、画面上に表示される表示情報のサイズを変更可能な端末装置であって、前記画面上に表示されるボタンに対するユーザの接触を検知する検知手段と、前記検知手段が前記接触を検知すると前記表示情報のサイズを第１のサイズと第２のサイズとの間で切替えて表示する切替手段と、を具備することを特徴とする。【選択図】図１
2016062169.tif 000002
【特許請求の範囲】
【請求項１】
画面上に表示される表示情報のサイズを変更可能な端末装置であって、
前記画面上に表示されるボタンに対するユーザの接触を検知する検知手段と、
前記検知手段が前記接触を検知すると前記表示情報のサイズを第１のサイズと第２のサイズとの間で切替えて表示する切替手段と、
を具備することを特徴とする端末装置。
【請求項２】
前記第２のサイズは、前記第１のサイズより大きいことを特徴とする請求項１に記載の端末装置。
【請求項３】
前記検知手段は、更に、前記接触の接触時間を検知し、
前記切替手段は、前記検知手段により前記接触を検知し前記表示情報のサイズを切替えた後、前記検知手段により検知される前記接触時間に基づき更に前記サイズを元に切替えるか否かを決定することを特徴とする請求項１又は請求項２に記載の端末装置。
【請求項４】
前記切替手段は、前記検知手段により検知される前記接触時間が所定時間内の場合、前記サイズを保つことを特徴とする請求項３に記載の端末装置。
【請求項５】
前記切替手段は、前記検知手段により検知される前記接触時間が前記所定時間より長い場合、前記接触時間経過後、前記サイズを元に切替えることを特徴とする請求項３に記載の端末装置。
【請求項６】
前記第１のサイズ又は前記第２のサイズは、ピンチイン操作又はピンチアウト操作により変更できることを特徴とする請求項１に記載の端末装置。
【請求項７】
前記画面上の前記表示情報が、前記第１のサイズと前記第２のサイズのいずれで表示されているかを示す識別情報が表示されることを特徴とする請求項１に記載の端末装置。
【請求項８】
画面上に表示される表示情報のサイズを変更可能な端末装置により実行される表示制御方法であって、
前記画面上に表示されるボタンに対するユーザの接触を検知する検知ステップと、
前記検知ステップが前記接触を検知すると前記表示情報のサイズを第１のサイズと第２のサイズとの間で切替えて表示する切替ステップと、
を含むことを特徴とする表示制御方法。
【請求項９】
コンピュータを画面上に表示される表示情報のサイズを変更可能な端末装置として機能させるためのプログラムであって、
前記コンピュータを、
前記画面上に表示されるボタンに対するユーザの接触を検知する検知手段、
前記検知手段が前記接触を検知すると前記表示情報のサイズを第１のサイズと第２のサイズとの間で切替えて表示する切替手段、として機能させるためのプログラム。
【発明の詳細な説明】
【技術分野】
【０００１】
本発明は、タッチパネルを有する端末装置に関する。特に、タッチパネルを介したユーザの入力操作により表示情報の表示サイズを切替える技術に関する。
【背景技術】
【０００２】
スマートフォンなどのタッチパネルを有する情報デバイスが世の中に広く普及し、タッチパネルを用いた種々のユーザインターフェース機能がユーザに提供されている。
【０００３】
特に、通常のパーソナルコンピュータと異なり、小型のディスプレイを前提とするスマートフォンなどにおいては、画面の表示サイズを拡大させ視認性を向上させる操作は必要不可欠な機能であり、当該機能を実現するためにタッチパネルは有効に利用されている。
【０００４】
例えば、画面上で２本の指を接触させながら２本の指の間隔を拡げたり狭めたりする所謂「ピンチイン／ピンチアウト操作」により画面上の表示物を拡大縮小する機能は良く知られるところである。
【先行技術文献】
【特許文献】
【０００５】
【特許文献１】特許第４７４３９１９号
【発明の概要】
【発明が解決しようとする課題】
【０００６】
しかしながら、「ピンチイン／ピンチアウト操作」は２本の指が必要な点で操作として冗長である。また、拡大率の自由度を有する反面、毎回、表示サイズの調整を要するため、表示切替手段としての簡便性に欠ける。
【０００７】
本発明は、前述した従来技術の問題点に鑑みてなされたものであり、その目的とするところは、単純な操作により画面上の表示情報のサイズを簡便に切替えることを可能にする端末装置等を提供することにある。
【課題を解決するための手段】
【０００８】
前述した目的を達成するための第１の発明は、画面上に表示される表示情報のサイズを変更可能な端末装置であって、前記画面上に表示されるボタンに対するユーザの接触を検知する検知手段と、前記検知手段が前記接触を検知すると前記表示情報のサイズを第１のサイズと第２のサイズとの間で切替えて表示する切替手段と、を具備することを特徴とする端末装置である。
第１の発明によって、ボタンに対する単純な操作により画面上の表示情報のサイズを２段階で簡便に切替えることができる端末装置が提供される。
【０００９】
前記第２のサイズは、前記第１のサイズより大きいことが望ましい。
これにより、画面上に表示される表示情報を拡大して表示することができる。
【００１０】
前記検知手段は、更に、前記接触の接触時間を検知し、前記切替手段は、前記検知手段により前記接触を検知し前記表示情報のサイズを切替えた後、前記検知手段により検知される前記接触時間に基づき更に前記サイズを元に切替えるか否かを決定することが望ましい。
これにより、ボタンに対する接触時間に基づき表示サイズの切替方法を異ならせることができる。
【００１１】
前記切替手段は、前記検知手段により検知される前記接触時間が所定時間内の場合、前記サイズを保つことが望ましい。
これにより、ボタンに対する接触が所定時間内に回避された場合、再度の接触が検知されるまで表示情報を切替え後の表示サイズで表示し続けることができる。
【００１２】
前記切替手段は、前記検知手段により検知される前記接触時間が前記所定時間より長い場合、前記接触時間経過後、前記サイズを元に切替えることが望ましい。
これにより、ボタンに対する接触が所定時間より長い場合、接触している間は表示情報を切替え後の表示サイズで表示し続け、接触が回避されると表示情報を自動的に元のサイズに切替えて表示することができる。
【００１３】
前記第１のサイズ又は前記第２のサイズは、ピンチイン操作又はピンチアウト操作により変更できることが望ましい。
これにより、第１のサイズ又は第２のサイズをピンチイン操作又はピンチアウト操作によりユーザは任意に変更することができる。
【００１４】
前記画面上の前記表示情報が、前記第１のサイズと前記第２のサイズのいずれで表示されているかを示す識別情報が表示されることが望ましい。
これにより、ユーザは、現在、表示情報が第１のサイズと第２のサイズのいずれで表示されているかを認識できる。
【００１５】
前述した目的を達成するための第２の発明は、画面上に表示される表示情報のサイズを変更可能な端末装置により実行される表示制御方法であって、前記画面上に表示されるボタンに対するユーザの接触を検知する検知ステップと、前記検知ステップが前記接触を検知すると前記表示情報のサイズを第１のサイズと第２のサイズとの間で切替えて表示する切替ステップと、を含むことを特徴とする表示制御方法である。
第２の発明によって、ボタンに対する単純な操作により画面上の表示情報のサイズを２段階で簡便に切替えることができる表示制御方法が提供される。
【００１６】
前述した目的を達成するための第３の発明は、画面上に表示される表示情報のサイズを変更可能な端末装置のプログラムであって、前記端末装置を、前記画面上に表示されるボタンに対するユーザの接触を検知する検知手段、前記検知手段が前記接触を検知すると前記表示情報のサイズを第１のサイズと第２のサイズとの間で切替えて表示する切替手段、として機能させることを特徴とするプログラムである。
第３の発明によって、ボタンに対する単純な操作により画面上の表示情報のサイズを２段階で簡便に切替えることができるプログラムが提供される。
【発明の効果】
【００１７】
本発明により、単純な操作により画面上の表示情報のサイズを簡便に切替えることが可能となる。
【図面の簡単な説明】
【００１８】
【図１】本発明の実施の形態に係る端末装置１の外観図である。
【図２】端末装置１のハードウェア構成例を示す図である。
【図３】拡大ボタン５を示す図である。
【図４】第１のサイズと第２のサイズとの関係を示す概念図である。
【図５】表示切替動作を示すフローチャートである。
【図６】表示切替えの様子を示す図である。
【図７】第１の操作における表示切替えの様子を示す図である。
【図８】第２の操作における表示切替えの様子を示す図である。
【図９】第２のサイズを変更するフローチャートである。
【図１０】第２のサイズを変更する様子を示す概念図である。
【発明を実施するための形態】
【００１９】
以下、図面に基づいて、本発明の好適な実施形態について説明する。
【００２０】
[本発明の実施の形態]
図１は、本発明の実施の形態に係る端末装置１の外観図である。端末装置１は、表示画面３、及び表示画面３上に拡大ボタン５を備えており、拡大ボタン５に対するユーザの接触を検知することで表示画面３上に表示される表示情報のサイズの切替えを行う。
【００２１】
端末装置１は、例えば、スマートフォン、タブレット端末等である（但し、これらに限定されない）。
【００２２】
（端末装置１の構成）
図２は、端末装置１のハードウェアの構成例を示す図である。尚、図２の構成は、あくまで一例であり、用途、目的に応じて様々な構成を採ることが可能である。
【００２３】
端末装置１は、主に、制御部１１、記憶部１３、通信制御部１５、表示部１７、入力部１９、周辺機器Ｉ／Ｆ部２１などが、バス２３を介して接続される。
【００２４】
制御部１１は、ＣＰＵ、ＲＯＭ、ＲＡＭ等で構成される。ＣＰＵは、記憶部１３、ＲＯＭ、記録媒体等に格納されるプログラムをＲＡＭ上のワークメモリ領域に呼び出して実行することによって本発明に係る端末装置１の全ての制御を実行する。
ＲＯＭは、不揮発性メモリであり、プログラムやデータ等を恒久的に保持している。ＲＡＭは、揮発性メモリであり、記憶部１３、ＲＯＭ、記録媒体等からロードしたプログラム、データ等を一時的に保持するとともに、制御部１１が各種処理を行う為に使用するワークエリアを備える。
【００２５】
記憶部１３は、フラッシュメモリ等であり、制御部１１が実行するプログラム、プログラム実行に必要なデータ等が格納される。プログラム等は、制御部１１により必要に応じて読み出されＲＡＭに移されて実行される。
本実施形態においては、表示画面３に表示するための表示情報を生成するプログラムが予め記憶部１３に記憶されている。そして、制御部１１が記憶部１３に記憶された当該プログラムを読込み、表示情報を生成し、表示部１７の表示画面３に表示する。
【００２６】
通信制御部１５は、通信制御装置、通信ポート等を有し、端末装置１とネットワーク間の通信を媒介する通信インターフェースであり、ネットワークを介して、他のコンピュータ又は他の携帯端末とのデータ通信の制御を行う。
【００２７】
表示部１７は、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等から成る表示画面３を備え、制御部１１により生成した表示情報を表示画面３に表示する。
【００２８】
表示画面３に表示する表示情報は、例えば、制御部１１により実行されるＧＵＩ（Ｇｒａｐｈｉｃａｌ  Ｕｓｅｒ  Ｉｎｔｅｒｆａｃｅ）プログラムの表示画面、カメラ映像のモニタリング画面、カメラで撮像した静止画像（又は動画像）、及びウェブサイト等が含まれるが、これらに限定されず、制御部１１によって生成され表示画面３に表示する表示情報であればいずれでもよい。
【００２９】
図３は、表示画面３の略右下（図１参照）に表示される拡大ボタン５である。
後述するように、制御部１１が、拡大ボタン５に対するユーザの接触を検知することで、表示画面３に表示される表示情報のサイズを切替えて表示する。
【００３０】
入力部１９は、表示画面３に重ねて併設される入力部１９ａ及び表示画面３と離れて設けられる入力部１９ｂを備える。
【００３１】
入力部１９ａは、いわゆるタッチパネルで構成されており、表示画面３に対する指、又はスタイラスペン等の接触を検出する。また、入力部１９ａは、指、又はスタイラスペン等が入力部１９ａに接触した位置を検出することができる。
【００３２】
入力部１９ａの検出方式は、静電容量方式、抵抗膜方式、表面弾性波方式、光学方式、及び電磁誘導方式等の任意の方式でよい。
【００３３】
入力部１９ｂは、端末装置１のクリックボタン７に対するユーザのクリック操作を受付け、当該操作を制御部１１に伝える。
【００３４】
周辺機器Ｉ／Ｆ部２１は、端末装置１と周辺機器を接続させるためのポートであり、周辺機器Ｉ／Ｆ部２１を介して端末装置１は周辺機器とのデータ通信を行う。周辺機器Ｉ／Ｆ部２３は、ＵＳＢ（Ｕｎｉｖｅｒｓａｌ  Ｓｅｒｉａｌ   Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、イヤホンマイクコネクタ等で構成されている。周辺機器との接続形態は有線、無線を問わない。
【００３５】
バス２３は、各部間の制御信号、データ信号等の授受を媒介する経路である。
【００３６】
また、端末装置１は、図２に示したハードウェア構成のほかに、カメラ、スピーカ、及びマイクロホン等を備えてもよい。
【００３７】
＜第１のサイズと第２のサイズ＞
図４は、表示画面３上に表示される表示情報の２つの表示サイズ（第１のサイズと第２のサイズ）の関係を示す概念図である。図４（ａ）が第１のサイズ、図４（ｂ）が第２のサイズを表す。図４に示すように、表示サイズには原則「第２のサイズ＞第１のサイズ」の関係がある。
本実施形態では、表示情報の表示サイズを第１のサイズ（通常の表示サイズ）と第１のサイズより大きい第２のサイズ（拡大サイズ）との２段階で切替えることで、簡便な表示サイズの切替え（拡大縮小表示）を実現するのが１つの狙いである。
図４の場合、第２のサイズは、第１のサイズを画面水平方向に拡大率｜ｘ４−ｘ３｜／｜ｘ２−ｘ１｜、画面垂直方向に拡大率｜ｙ４−ｙ３｜／｜ｙ２−ｙ１｜で拡大したサイズとなる。
【００３８】
より具体的には、第１のサイズとは、端末提供者、コンテンツ提供者によって表示情報の概ね全体を把握でき且つ視認可能な適当のサイズとして予め表示情報に付随する情報として設定されているもの、若しくは、表示画面３の大きさや表示情報の内容等によって表示情報の概ね全体を最適に視認できるサイズとして、制御部１１によって、自動的に算出されるものである。第１のサイズ若しくは第１のサイズを算出するために必要な情報は、制御部１１が表示情報を生成する際に、記憶部１３に事前に保持されており、制御部１１が、表示情報を表示画面３に表示するとき、記憶部１３に保持された当該情報を読み込み、表示情報を第１のサイズで表示する。
【００３９】
一方、第２のサイズも同様に、端末提供者、コンテンツ提供者によって表示情報の詳細を把握できる第１のサイズより大きい適当なサイズとして予め表示情報に付随する情報として設定されているもの、若しくは、表示画面３の大きさや表示情報の内容等によって表示情報の詳細を最適に視認できるサイズとして、制御部１１によって、自動的に算出されるものである。第２の表示サイズ若しくは第２のサイズを算出するために必要な情報も事前に記憶部１３に保持されており、制御部１１が、記憶部１３に保持された当該情報を読み込み、表示情報を第１のサイズから第２のサイズへ切替えて表示する。
【００４０】
上記のように、表示情報の表示サイズとして第１のサイズとそれより大きい第２のサイズとを設け、制御部１１が、両サイズを交互に切替えることで、第１のサイズで表示情報の大枠を把握し、第２のサイズで表示情報の詳細を把握することができる。
【００４１】
以降、端末装置１の表示切替動作について詳しく説明する。
【００４２】
＜表示切替動作＞
図５のフローチャート及び適宜図６〜図８を参照しながら、本実施形態の端末装置１の表示切替えの動作を説明する。ここでは表示情報を第１のサイズから第２のサイズへ切替え、更に、第２のサイズから元の第１のサイズへ切替える一連のフローを説明する。
尚、図面は、「表示情報」としてコンテンツ提供者が提供する「経路検索ソフトの表示画面」を例に挙げているが、本発明はこの用途に限定するものではない。
【００４３】
以降、図６（ａ）に示す経路探索ソフトの画面において、ユーザの操作によってテキストボックス６１に出発地及びテキストボックス６２に到着地が入力され、その後、ユーザの操作によって経路検索ボタン６３が押下され、当該押下を受け付けた制御部１１が経路検索を実行し、経路検索結果を表示画面３に表示するところから説明する。
【００４４】
ステップ５０１において、制御部１１は、表示部１７の表示画面３上に表示情報（経路検索結果）を、第１のサイズで表示する（図６（ｂ）参照）。図６（ｂ）に示した「表示切替エリア」に表示されている内容がサイズ切替対象である「表示情報」に相当する。また、図６（ｂ）に示すように第１のサイズは、表示情報の概ね全体を把握できる程度の表示サイズである。
【００４５】
制御部１１は、入力部１９ａを介して、表示画面３上のユーザの拡大ボタン５に対する接触を検知する（ステップ５０２、図６（ｃ）参照）。
【００４６】
制御部１１は、ステップ５０２において接触を検知すると（ステップ５０２のＹｅｓ）、表示部１７の表示画面３上に表示情報を、第２のサイズに切替えて表示する（ステップ５０３、図６（ｄ）参照）。図６（ｄ）に示すように、表示情報は第１のサイズ（図６（ｂ）参照）より大きく表示される。これにより、ユーザは表示情報の詳細を把握できる。
また、図６（ｄ）に示すように、制御部１１は、現在、表示情報を第２のサイズで表示していることをユーザに認識させるため、拡大ボタン５の表示色を、第１の表示サイズで表示しているときの拡大ボタン５の表示色と異なる色で表示する。
【００４７】
ステップ５０４において、制御部１１は、拡大ボタン５に対する接触時間が所定時間内の場合（ステップ５０４のＹｅｓ）、ユーザ操作を「第１の操作」と判定し、ステップ５０５に移行する。一方、当該接触時間が所定時間より長い場合（ステップ５０４のＮｏ）、ユーザ操作を「第２の操作」と判定し、ステップ５０７に移行する。
尚、「第１の操作」と判定された場合は、拡大ボタン５から既にユーザの指が離れており、「第２の操作」と判定された場合は、拡大ボタン５に対するユーザの接触がまだ継続している点に注意する。
【００４８】
（「第１の操作」と判定した場合のフロー）
制御部１１がステップ５０４においてユーザ操作を「第１の操作」と判定した場合、制御部１１は、表示部１７の表示画面３上の表示情報を、再度の接触を検知するまで、そのまま第２の表示サイズで表示し続ける（ステップ５０５、図７（ａ）参照）。
制御部１１は、入力部１９ａを介して、表示画面３上のユーザの拡大ボタン５に対する接触を検知すると（ステップ５０６のＹｅｓ、図７（ｂ）参照）、制御部１１は、表示部１７の表示画面３上の表示情報を、第１の表示サイズに切替えて表示する（ステップ５０７、図７（ｃ）参照）。
そして、制御部１１は、現在、表示情報をもとの第１のサイズで表示していることをユーザに認識させるため、拡大ボタン５の表示色を、もとの第１の表示サイズの拡大ボタン５の表示色に戻して表示する。
【００４９】
（「第２の操作」と判定した場合のフロー）
一方、制御部１１がステップ５０４においてユーザ操作を「第２の操作」と判定した場合、制御部１１は、拡大ボタン５に対する接触が持続している間、表示部１７の表示画面３上の表示情報を第２のサイズで表示し続ける（ステップ５０８、図８（ａ）参照）。図８（ａ）に示すように表示情報を第２のサイズで表示している間、常に拡大ボタン５がユーザにより押下されている。
また、制御部１１は、拡大ボタン５から指が離れ接触が検知できなくなると（ステップ５０９のＹｅｓ、図８（ｂ）参照）、表示部１７の表示画面３上の表示情報を、第１のサイズに切替えて表示する（ステップ５１０、図８（ｃ）参照）。
そして、制御部１１は、現在、表示情報をもとの第１のサイズで表示していることをユーザに認識させるため、拡大ボタン５の表示色を、もとの第１の表示サイズの拡大ボタン５の表示色に戻して表示する。
【００５０】
尚、本実施形態において、拡大ボタン５の表示色を変えることによって、第１のサイズと第２のサイズのいずれで表示されているかを識別可能としたが、第２のサイズでの表示の際には拡大ボタン５を点滅等させることにより、第１のサイズと第２のサイズの表示状態を識別するようにしてもよい。
【００５１】
本実施形態の端末装置１の有利な効果を説明する。
【００５２】
第１には、拡大ボタン５に対する１度の接触動作により、表示サイズの切替えを行う点である。従って、所謂「ピンチイン／ピンチアウト操作」のように２本の指を必要とする拡大縮小操作などと比較し、動作負担が小さい。
【００５３】
第２には、表示サイズを第１の表示サイズ及び第２の表示サイズの２段階のみで切替えることで簡便な表示サイズの切替制御を実現できる点である。
【００５４】
第３には、拡大ボタン５に対する接触を検知すると直ぐに第１の表示サイズから第２の表示サイズへ切替わる点である（図５、ステップ５０３参照）。つまり、ステップ５０４においてユーザ操作が「第１の操作」と「第２の操作」のいずれであるかを判定する前に、表示サイズの切替え動作が実行されるため、迅速な切替制御が実現される。
【００５５】
次に、拡大ボタン５に対するユーザ操作が「第１の操作」、「第２の操作」の場合の個別的効果を説明する。
【００５６】
（「第１の操作」の場合の効果）
「第１の操作」の有利な点は、指が離れた状態で、表示情報が第２のサイズで表示されるため、更に、表示画面３上で離した指を使って画面操作が容易に行えることである。例えば、表示情報を第２のサイズで拡大し、画面に収まらない表示範囲外の表示情報を視認できなくなった場合でも所謂「スワイプ操作」等により表示範囲外の表示情報を表示画面３に表示させることができる。
【００５７】
（「第２の操作」の場合の効果）
一方、「第２の操作」の有利な点は、表示情報を第１のサイズから第２のサイズへ切替え、更に、第２のサイズからもとの第１のサイズへ切替える一連の切替動作が、拡大ボタン５に対して「接触して離す」という１回の単純動作で行えることである。また、拡大ボタン５を押している間だけ第２のサイズで表示し続けるため、ユーザは第２のサイズの表示時間を自由にコントロールできる。
【００５８】
[変形例]
本実施形態の変形例の端末装置１では、第１のサイズ又は第２のサイズを所謂「ピンチイン／ピンチアウト操作」により変更できる。
【００５９】
ここで、「ピンチイン操作」とは、入力部１９ａに対して２つの指を互いに近づける方向に移動させる操作である。制御部１１は、入力部１９ａを介して検出される１つの指の位置と他の指の位置との間の距離が短くなることを検知すると「ピンチイン操作」と判定し、当該距離に応じて表示情報を縮小表示する。
【００６０】
「ピンチアウト操作」とは、２つの指を互いに遠ざける方向に移動させる操作である。制御部１１は、入力部１９ａを介して検出される１つの指の位置と他の指の位置との間の距離が長くなることを検知すると「ピンチアウト操作」と判定し、当該距離に応じて表示情報を拡大表示する。
【００６１】
図９は、第２のサイズを「ピンチイン／ピンチアウト操作」により変更する動作を示すフローチャートである。
【００６２】
ステップ９０１において、制御部１１は、表示情報を第１の表示サイズで表示する。制御部１１は、入力部１９ａを介して、拡大ボタン５に対する接触を検知すると（ステップ９０２のＹｅｓ）、表示情報を第２のサイズで表示する（ステップ９０３）。
【００６３】
制御部１１は、入力部１９ａを介して、ユーザの「ピンチイン／ピンチアウト操作」を検知し、当該操作に応じて、第２のサイズを変更し表示する（ステップ９０４）。
図１０は第２のサイズを変更する様子を示した図である。ここでは、図１０に示した「変更前の第２のサイズ」をユーザの「ピンチイン／ピンチアウト操作」（主にはピンチアウト操作）により「変更後の第２のサイズ」へ拡大した様子を示している。
【００６４】
制御部１１は、ステップ９０４においてユーザの「ピンチイン／ピンチアウト操作」により変更したサイズを、第２のサイズとして設定する（ステップ９０５）。
第２のサイズの設定の仕方は様々であり、例えば、図１０において第２のサイズが変更された状態で、制御部１１が、表示画面３上においてユーザの「ダブルタップ操作」を検知することで、第２のサイズを設定してもよい。また、制御部１１が「ピンチイン／ピンチアウト操作」を検知すると表示画面３上に一定時間表示される「サイズ設定ボタン」（不図示）を表示し、当該ボタンの押下を受け付けることで、第２のサイズを設定してもよい。後者の場合、制御部１１は、設定後、「サイズ設定ボタン」（不図示）を非表示にする。
【００６５】
尚、変形例においては「ピンチイン／ピンチアウト操作」により２本の指を使用して第２のサイズを変更する都合上、ステップ９０２、９０３における第１のサイズから第２のサイズへの表示切替は、前述した「第１の操作」で行われることが好ましい。「第２の操作」による表示切替では、第２のサイズで表示している間、常に拡大ボタン５を押下しておく必要があり（図８（ａ）参照）、拡大ボタン５を押下しながら更に「ピンチイン／ピンチアウト操作」を行うことは操作上困難だからである。
【００６６】
また、上記例では第２のサイズの変更例を示したが、第１のサイズも変更できる。具体的には、上記ステップ９０１において、制御部１１が、表示情報を第１のサイズで表示した後、入力部１９ａを介して、ユーザの「ピンチイン／ピンチアウト操作」を検知し、当該操作に応じて、第１のサイズを変更すればよい。変更したサイズを第１のサイズとして設定する方法は上記した同様の手段で実現できる。
【００６７】
以上、変形例においては、第１のサイズ又は第２のサイズを、ユーザの「ピンチイン／ピンチアウト操作」により変更することができる。これにより、端末提供者、コンテンツ提供者等が予め設定した表示サイズをユーザは任意に変更でき、その後、変更した表示サイズで表示切替えを行うことができる。
【００６８】
以上、添付図面を参照しながら、本発明に係る端末装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６９】
１  ・・・・・・端末装置
３  ・・・・・・表示画面
５  ・・・・・・拡大ボタン
７  ・・・・・・クリックボタン
１１  ・・・・・制御部
１３  ・・・・・記憶部
１５  ・・・・・通信制御部
１７  ・・・・・表示部
１９  ・・・・・入力部
２１  ・・・・・周辺機器Ｉ／Ｆ部
２３  ・・・・・バス
６１、６２・・・テキストボックス
６３  ・・・・・経路検索ボタン
【図１】
2016062169.tif 000003
【図２】
2016062169.tif 000004
【図３】
2016062169.tif 000005
【図４】
2016062169.tif 000006
【図５】
2016062169.tif 000007
【図６】
2016062169.tif 000008
【図７】
2016062169.tif 000009
【図８】
2016062169.tif 000010
【図９】
2016062169.tif 000011
【図１０】
2016062169.tif 000012